(57)【要約】【課題】電子カメラで鮮鋭な画像を得る。【解決手段】電子カメラは、撮影光学系１を通過した被写体光束を２系統に分割し、２系統の光束がそれぞれ形成する２つの像の位相差に基づいてデフォーカス情報を検出する焦点検出手段３と、被写体光束を２系統に分割する光学系が形成されている撮像素子３と、焦点検出手段３で取得されたデフォーカス情報に基づいて、撮影光学系１が有するフォーカス調節光学系２の移動、および撮像素子３で取得される画像の鮮鋭さを高める処理をそれぞれ制御する制御手段４とを備える。【選択図】図１
2009042556.tif 000002
【特許請求の範囲】
【請求項１】
撮影光学系を通過した被写体光束を２系統に分割し、前記２系統の光束がそれぞれ形成する２つの像の位相差に基づいてデフォーカス情報を検出する焦点検出手段と、
前記被写体光束を２系統に分割する光学系が形成されている撮像素子と、
前記焦点検出手段で取得されたデフォーカス情報に基づいて、前記撮影光学系が有するフォーカス調節光学系の移動、および前記撮像素子で取得される画像の鮮鋭さを高める処理をそれぞれ制御する制御手段とを備えることを特徴とする電子カメラ。
【請求項２】
請求項１に記載の電子カメラにおいて、
前記制御手段は、前記デフォーカス情報が所定値より大きい場合は少なくとも前記フォーカス調節光学系の移動を行い、前記デフォーカス情報が前記所定値以下の場合は前記フォーカス調節光学系の移動を行わずに前記画像の鮮鋭さを高める処理のみを行うことを特徴とする電子カメラ。
【請求項３】
請求項１または２に記載の電子カメラにおいて、
前記画像の鮮鋭さを高める処理は、画像処理、撮像感度を下げる、および絞り込みの少なくとも１つを含むことを特徴とする電子カメラ。
【請求項４】
請求項３に記載の電子カメラにおいて、
前記画像処理は、画像の空間周波数を高める処理、画像の輪郭を強調する処理、およびγ補正時のゲインを高める処理の少なくとも１つを含むことを特徴とする電子カメラ。
【請求項５】
請求項２〜４のいずれか一項に記載の電子カメラにおいて、
前記制御手段は、連写撮影における２枚目以降に前記画像の鮮鋭さを高める処理のみを行うことを特徴とする電子カメラ。
【請求項６】
請求項１〜４のいずれか一項に記載の電子カメラにおいて、
カメラはレリーズ操作に応じた撮影動作をフォーカス調節動作の完了よりも優先させるレリーズ優先モードに設定されていることを特徴とする電子カメラ。
【発明の詳細な説明】
【技術分野】
【０００１】
本発明は、電子カメラに関する。
【背景技術】
【０００２】
撮影光学系を通過した被写体光束を２系統に分割し、分割後の光束がそれぞれ形成する一対の像の位相差に基づいてデフォーカス量を算出するカメラが知られている（特許文献１参照）。
【０００３】
【特許文献１】特開２００３−５７５３３号公報
【発明の開示】
【発明が解決しようとする課題】
【０００４】
従来技術では、一対の像を受光するフォーカスセンサが撮影用の感光部材（撮像素子）と異なる位置に配設される。このため、撮像素子の撮像面とフォーカスセンサの撮像面とが厳密に一致せず、オートフォーカス調節後も僅かにピントずれが生じて撮影画像の鮮鋭さが劣化するおそれがあった。
【課題を解決するための手段】
【０００５】
（１）本発明による電子カメラは、撮影光学系を通過した被写体光束を２系統に分割し、２系統の光束がそれぞれ形成する２つの像の位相差に基づいてデフォーカス情報を検出する焦点検出手段と、被写体光束を２系統に分割する光学系が形成されている撮像素子と、焦点検出手段で取得されたデフォーカス情報に基づいて、撮影光学系が有するフォーカス調節光学系の移動、および撮像素子で取得される画像の鮮鋭さを高める処理をそれぞれ制御する制御手段とを備えることを特徴とする。
（２）請求項１に記載の電子カメラにおいて、制御手段は、デフォーカス情報が所定値より大きい場合は少なくともフォーカス調節光学系の移動を行い、デフォーカス情報が所定値以下の場合はフォーカス調節光学系の移動を行わずに画像の鮮鋭さを高める処理のみを行うこともできる。
（３）請求項１または２に記載の電子カメラにおいて、画像の鮮鋭さを高める処理は、画像処理、撮像感度を下げる、および絞り込みの少なくとも１つを含むことが好ましい。
（４）請求項３に記載の電子カメラにおいて、画像処理は、画像の空間周波数を高める処理、画像の輪郭を強調する処理、およびγ補正時のゲインを高める処理の少なくとも１つを含むことが好ましい。
（５）請求項２〜４のいずれか一項に記載の電子カメラにおいて、制御手段は、連写撮影における２枚目以降に画像の鮮鋭さを高める処理のみを行うこともできる。
（６）請求項１〜４のいずれか一項に記載の電子カメラにおいて、カメラはレリーズ操作に応じた撮影動作をフォーカス調節動作の完了よりも優先させるレリーズ優先モードに設定されていてもよい。
【発明の効果】
【０００６】
本発明による電子カメラでは、鮮鋭な画像が得られる。
【発明を実施するための最良の形態】
【０００７】
以下、図面を参照して本発明を実施するための最良の形態について説明する。図１は、本発明の一実施の形態による電子カメラの要部構成を説明するブロック図である。電子カメラは、制御装置４によって制御される。
【０００８】
撮影レンズ１は、後述する撮像素子の撮像面上に被写体像を結像させる。測距装置兼撮像装置３は、撮像素子と、ＡＦＥ(Analog Front End)回路と、Ａ／Ｄ変換回路と、デフォーカス量演算回路とを含む。
【０００９】
撮像素子は、たとえば、ＣＭＯＳイメージセンサ３１（図２）によって構成される。イメージセンサ３１は被写体像を撮像し、アナログ画像信号をＡＦＥ回路へ出力する。ＡＦＥ回路は、アナログ画像信号に対するアナログ処理（指示されたＩＳＯ感度に応じた信号増幅など）を行う。ＩＳＯ感度は、制御装置４からの感度設定指示に応じて撮像感度（露光感度）を所定範囲（たとえばＩＳＯ５０相当〜ＩＳＯ１０００相当）内で変更するものである。撮像感度は、ＡＦＥ回路で行う信号増幅の増幅率を変化させる被制御量のことをいう。撮像感度値は、相当するＩＳＯ感度値で表される。Ａ／Ｄ変換回路は、アナログ処理後の画像信号をディジタル信号に変換する。ディジタル画像信号は、制御装置４内の画像処理部４ａへ出力される。
【００１０】
画像処理部４ａは、入力されたディジタル画像信号に対して画像処理を施す。画像処理には、たとえば、γ変換処理、輪郭強調処理、フィルタ処理や色温度調整（ホワイトバランス調整）処理、画像信号に対するフォーマット変換処理、画像圧縮・伸張処理などが含まれる。バッファメモリ４ｂは、画像処理前後および画像処理途中のデータを一時的に格納する他、記録媒体９へ記録する前の画像ファイルを格納したり、記録媒体９から読み出した画像ファイルを格納したりするために使用される。
【００１１】
表示回路６は、撮像画像を液晶モニタ７に表示させたり、操作メニューを液晶モニタ７に表示させるための表示データを作成する。液晶モニタ７は、上記作成された表示データによる再生画像またはメニュー画面を表示する。
【００１２】
制御装置４は、各ブロックから出力される信号を入力して所定の演算を行い、演算結果に基づく制御信号を各ブロックへ出力する。操作部材８は電子カメラの操作スイッチ類を含む。操作部材８は、レリーズボタン（不図示）の押下操作に連動してオン／オフする半押しスイッチや全押しスイッチ、メニュー操作キーなど、各操作スイッチなどからの操作信号を制御装置４へ出力する。
【００１３】
記録媒体９は、電子カメラに対して着脱可能なメモリカードなどで構成される。記録媒体９には、制御装置４からの指示によって画像のデータおよびその情報を含む画像ファイルが記録される。記録媒体９に記録された画像ファイルは、制御装置４からの指示によって読み出しが可能である。
【００１４】
＜焦点検出処理＞
本実施形態の電子カメラは、イメージセンサ３１上の焦点検出領域に入射される光束を用いて、いわゆる位相差検出方式によって撮影レンズ１による焦点調節状態の検出を行う。図２は、イメージセンサ３１に形成されるフォーカス検出用の画素位置を説明する図である。イメージセンサ３１が有する画素のうち、横センサ１〜横センサ３として例示する３本の水平方向に並ぶ所定数の画素列、および縦センサ１〜縦センサ３として例示する３本の垂直方向に並ぶ所定数の画素列が、それぞれ焦点検出領域に対応する。これら６本のセンサ列を構成する画素には、それぞれ瞳分割用のマスキングが施されている。
【００１５】
具体的には、画素に対応して形成されるオンチップマイクロレンズの略半面が遮光されている。図３は、横センサを構成する画素列の拡大図である。各画素において、左半面または右半面が交互にマスキングされる。これにより、横方向に隣接する画素間ではマスキングされた半面同士、またはマスキングされていない半面同士が隣り合う。
【００１６】
図４は、縦センサを構成する画素列の拡大図である。各画素において、上半面または下半面が交互にマスキングされる。これにより、縦方向に隣接する画素間ではマスキングされた半面同士、またはマスキングされていない半面同士が隣り合う。
【００１７】
図５は、横センサを構成する画素列、および画素列に入射される光束を説明する図である。図５において、右半面がマスキングされている画素のフォトダイオードには左方向からの光束（Ａ成分と呼ぶ）が入射される。また、左半面がマスキングされている画素のフォトダイオードには右方向からの光束（Ｂ成分と呼ぶ）が入射される。
【００１８】
この結果、Ａ成分の光束が入射される画素群から得られる画素出力（光電変換信号値）は、撮影レンズ１の射出瞳の片半分から入射された光束による像を表し、Ｂ成分の光束が入射される画素群から得られる画素出力（光電変換信号値）は、上記射出瞳の他半分から入射された光束による像を表す。
【００１９】
図６は、主要被写体に対して合焦時に得られる画素出力波形を例示する図である。図６において横軸は画素位置を表し、縦軸は画素出力を表す。合焦時はイメージセンサ３１上に鮮鋭像が結ばれる状態であるため、瞳分割された光束による一対の像はイメージセンサ３１上で一致する。つまり、横センサ（縦センサ）を構成する画素群から得られるＡ成分波形およびＢ成分波形は、その形状が重なる。
【００２０】
図７は、主要被写体に対して非合焦時に得られる画素出力波形を例示する図である。図７において横軸は画素位置を表し、縦軸は画素出力を表す。非合焦時はイメージセンサ３１の手前で鮮鋭像を結ぶ状態、あるいはイメージセンサ３１の後ろ側に鮮鋭像を結ぶ状態であるため、瞳分割された光束による一対の像はイメージセンサ３１上では一致しない。この場合のＡ成分波形およびＢ成分波形は、合焦状態からのずれ（デフォーカス量）に応じて、Ａ成分波形とＢ成分波形の位置関係（ずれ方向およびずれ量Δｄ）が異なる。
【００２１】
測距装置兼撮像装置３内のデフォーカス量演算回路は、Ａ成分波形およびＢ成分波形の位置関係に基づいて撮影レンズ１による焦点位置の調節状態（デフォーカス量）を算出し、算出結果を制御装置４へ送出する。制御装置４がデフォーカス量に応じたレンズ駆動信号（レンズ駆動方向およびレンズ駆動量を指示する信号）をレンズ駆動機構５へ出力すると、レンズ駆動機構５がフォーカスレンズ２を光軸方向へ進退移動させる。これにより、ピント調節が行われる。
【００２２】
なお、図６および図７において例示する比較領域は、Ａ成分波形およびＢ成分波形から抽出した特徴点（たとえば極大値）を共通に含む領域である。デフォーカス量演算回路は、横センサ（縦センサ）を構成する画素群から得られるＡ成分波形およびＢ成分波形のうち、比較領域内の波形データを用いてデフォーカス量を求める。
【００２３】
本実施形態の電子カメラは、
［１］ずれ量Δｄの大きさが所定値より大きければフォーカスレンズ２を光軸方向へ進退移動させる。
【００２４】
図８(a)は、撮影レンズ１がイメージセンサ３１の撮像面の後ろ側に鮮鋭像を結ぶ状態、いわゆる後ピン状態を例示する図である。図８(b)は、後ピン状態において得られる画素出力波形を例示する図である。図８(b)において横軸は画素位置を表し、縦軸は画素出力を表す。本実施形態に例示する光学系の場合、後ピン状態においてＡ成分波形がＢ成分波形に対して左側にずれている。
【００２５】
制御装置４は、図８(b)に例示するようにずれ量Δｄの大きさが所定値より大きい場合は、ＡＦ(オートフォーカス)処理時にフォーカスレンズ２を移動させる。Ａ成分波形およびＢ成分波形の位相差が図８(b)に例示した方向に検出された場合、フォーカスレンズ２を移動させる方向を撮像面から離す方向に決定する。合焦に必要なフォーカスレンズ２の移動量Ｄは、デフォーカス量と当該デフォーカス量に対応するレンズ駆動量との関係を示す演算係数に基づいて決定する。図８(c)は合焦状態を例示する図である。フォーカスレンズ２が撮像面から離す向きへ距離Ｄだけ移動された結果、撮影レンズ１がイメージセンサ３１の撮像面上に鮮鋭像を結ぶ。なお、実際のフォーカスレンズ２の移動方向は、撮影レンズ１を構成する光学系によって異なる。
【００２６】
また、本実施形態の電子カメラは、
［２］ずれ量Δｄの大きさが所定値以下であればフォーカスレンズ２の位置をそのまま維持し、画像処理部４ａによる画像処理（たとえば、γ変換処理、輪郭強調処理、フィルタ処理）で画像の鮮鋭度を向上させる。
【００２７】
図９(a)は、撮影レンズ１がイメージセンサ３１の撮像面の後ろ側に鮮鋭像を結ぶ他の状態を例示する図である。図９(b)は、図９(a)に対応して得られる画素出力波形を例示する図である。図９(b)において横軸は画素位置を表し、縦軸は画素出力を表す。図８(b)の場合に比べて、Ａ成分波形とＢ成分波形とのずれ量Δｄが小さい。
【００２８】
制御装置４は、図９(b)に例示するようにずれ量Δｄの大きさが所定値以下の場合は、以下の処理のうち少なくとも１つを行う。
［ａ］通常時に比べてγ変換処理のゲインを高める。
［ｂ］通常時に比べて輪郭強調処理のゲインを高める。
［ｃ］通常時に比べて空間周波数の低周波数成分を少なく、かつ高周波数成分を多くするフィルタ処理を施す。
【００２９】
電子カメラは、Ａ成分波形およびＢ成分波形間のずれ量Δｄの大きさに応じて上記［１］または［２］を行うフォーカス調節モードと、Ａ成分波形およびＢ成分波形間のずれ量Δｄを検出すればＡＦ(オートフォーカス)処理時にフォーカスレンズ２を移動させる通常のフォーカス調節モードとが、たとえばメニュー操作によって択一的に切換え可能に構成されている。本実施形態の電子カメラは前者のフォーカス調節モードに特徴を有するので、図１０〜図１３のフローチャートを参照して当該フォーカス調節モードにおけるカメラ処理を中心に説明する。
【００３０】
＜レリーズ待機処理＞
図１０は、制御装置４が実行するレリーズ待機処理の流れを説明するフローチャートである。ステップＳ１０において、制御装置４はレリーズ操作を受付けたか否かを判定する。制御装置４は、操作部材８からレリーズボタンが全押し操作されたことを示す操作信号が入力された場合、ステップＳ１０を肯定判定してステップＳ２０へ進む。制御装置４は、操作部材８からレリーズボタンが全押し操作されたことを示す操作信号が入力されない場合にはステップＳ１０を否定判定し、当該判定処理を繰り返しながらレリーズ待機を行う。
【００３１】
ステップＳ２０において、制御装置４は、レリーズ処理を行ってステップＳ１０へ戻る。レリーズ処理の詳細については後述する。
【００３２】
＜レリーズ処理＞
図１１のステップＳ２１において、制御装置４は測距装置兼撮像装置３へ指示を送り、イメージセンサ３１の位相差検出画素からの信号を読み出させてステップＳ２２に進む。上記横センサ（縦センサ）に対応する画素群のデータは、位相差検出画素出力に対応する。
【００３３】
ステップＳ２２において、制御装置４は測距装置兼撮像装置３へ指示を送り、位相差検出（デフォーカス量の算出）させてステップＳ２３へ進む。ステップＳ２３において、制御装置４は、位相差（ずれ量Δｄに対応）＞所定値が成立するか否かを判定する。制御装置４は、位相差＞所定値が成立する場合にステップＳ２３を肯定判定してステップＳ２４へ進む。ステップＳ２３を肯定判定する場合は上記［１］の場合に対応する。
【００３４】
一方、制御装置４は、位相差＞所定値が成立しない場合にはステップＳ２３を否定判定してステップＳ２５へ進む。ステップＳ２３を否定判定する場合は上記［２］の場合に対応する。
【００３５】
ステップＳ２４において、制御装置４はＡＦ処理を行ってステップＳ２５へ進む。ＡＦ処理の詳細については後述する。ステップＳ２５において、制御装置４は撮影処理を行って図１１による処理を終了する。撮影処理の詳細については後述する。
【００３６】
＜ＡＦ処理＞
図１２のステップＳ２４１において、制御装置４は、合焦させるために必要なフォーカスレンズ駆動量を位相差から算出してステップＳ２４２へ進む。ステップＳ２４２において、制御装置４はレンズ駆動機構５へ指示を送り、フォーカスレンズ２を駆動させてステップＳ２４３へ進む。
【００３７】
ステップＳ２４３において、制御装置４はフォーカスレンズ２が目標位置へ到達したか否かを判定する。制御装置４は、レンズ駆動機構５からレンズ駆動が完了したことを示す信号を受けた場合にステップＳ２４３を肯定判定し、図１２による処理を終了して図１１のステップＳ２５へ進む。制御装置４は、レンズ駆動機構５からレンズ駆動が完了したことを示す信号を受けない場合にはステップＳ２４３を否定判定し、当該判定処理を繰り返しながらレンズ駆動の完了を待つ。
【００３８】
＜撮影処理＞
図１３のステップＳ２５１において、制御装置４はＡＦ処理（図１２）を実行したか否かを判定する。制御装置４は、ＡＦ処理を行っている場合にステップＳ２５１を肯定判定してステップＳ２５２へ進み、ＡＦ処理を行っていない場合にはステップＳ２５１を否定判定してステップＳ２５６へ進む。
【００３９】
ステップＳ２５２において、制御装置４は測距装置兼撮像装置３へ指示を送り、イメージセンサ３１の撮像感度を通常のフォーカス調節モードにおいて用いる値に設定してステップＳ２５３へ進む。ステップＳ２５３において、制御装置４は測距装置兼撮像装置３へ指示を送り、画像データを取得させてステップＳ２５４へ進む。これにより、測距装置兼撮像装置３は被写体像を撮像する。
【００４０】
ステップＳ２５４において、制御装置４は、ステップＳ２５３で取得した画像のデータに対し、画像処理部４ａで通常（通常のフォーカス調節モードにおいて行う）の画像処理を行わせてステップＳ２５５へ進む。ステップＳ２５５において、制御装置４は、画像処理後の画像データを含むファイルを記録媒体９に保存して図１３による処理を終了する。
【００４１】
ステップＳ２５６において、制御装置４は測距装置兼撮像装置３へ指示を送り、イメージセンサ３１の撮像感度を通常のフォーカス調節モードにおいて用いる値よりも低く（たとえばアペックス値で１段階）設定してステップＳ２５７へ進む。ステップＳ２５７において、制御装置４は測距装置兼撮像装置３へ指示を送り、画像データを取得させてステップＳ２５８へ進む。これにより、測距装置兼撮像装置３は被写体像を撮像する。
【００４２】
ステップＳ２５８において、制御装置４は、ステップＳ２５７で取得した画像のデータに対し、画像処理部４ａで画像の鮮鋭度を向上させるための画像処理（上記［２］）を行わせてステップＳ２５５へ進む。ここで、各処理のゲインおよびフィルタ特性は、デフォーカス量と当該デフォーカス量に対応する処理ゲイン、フィルタ特性との関係を示す演算係数に基づいて決定する。
【００４３】
以上説明した実施形態によれば、次の作用効果が得られる。
（１）電子カメラは、位相差検出ＡＦに用いる瞳分割用の画素列（横センサ１〜横センサ３、縦センサ１〜縦センサ３）を含むイメージセンサ３１を備えたので、瞳分割された一対の像を、撮影画像を取得する撮像面上において取得できる。これにより、位相差検出ＡＦに用いるフォーカスセンサをイメージセンサと別に設ける場合のように、イメージセンサの撮像面とフォーカスセンサの撮像面とが厳密に一致しないことに起因するピントずれの発生を防止することができる。
【００４４】
（２）イメージセンサ３１の瞳分割用画素からの信号に基づくＡ成分波形とＢ成分波形のずれ量Δｄの大きさが所定値以下の場合、フォーカスレンズ２の位置をそのまま維持し、画像処理部４ａによる画像処理（たとえば、γ変換処理、輪郭強調処理、フィルタ処理）で画像のエッジを鮮明にし、画像のコントラストを高めることによって画像の鮮鋭度を向上させた。フォーカスレンズ２を駆動しないので、駆動する場合に比べて撮影に要する時間を短縮するとともに、省電効果が得られる。
【００４５】
（３）画像の鮮鋭度を向上させるための画像処理におけるゲインおよびフィルタ特性は、デフォーカス量と当該デフォーカス量に対応する処理ゲイン、フィルタ特性との関係を示す演算係数に基づいて決定するので、画像を必要以上に補正することがなく、画像の鮮鋭度を適切に向上させることができる。
【００４６】
（４）Ａ成分波形とＢ成分波形のずれ量Δｄの大きさが所定値を超える場合、デフォーカス量に応じてフォーカスレンズ２を光軸方向へ進退移動させたので、合焦位置から大きく外れている場合には、まず光学的にピント合わせを行って鮮鋭度の高い画像が得られるようになる。なお、フォーカスレンズ２を移動させた後に画像の鮮鋭度を向上する画像処理を行う場合には、フォーカスレンズ２の停止位置を厳密に制御しなくても、画像処理で補うことが可能である。
【００４７】
（５）撮影用の画像取得（ステップＳ２５２）の前に感度設定を行い（Ｓ２５１）、通常のフォーカス調節モードにおいて用いる撮像感度より低く設定した。感度を低く設定した分、画像信号に重畳するノイズが低減するので、画像の鮮鋭度を向上させるための画像処理の負担を軽減できる。
【００４８】
（変形例１）
ステップＳ２５１において、撮像感度を低く設定することに加えて撮影レンズ１の絞り（不図示）を絞りこんでもよい。被写界深度が深くなることに起因して像ぼけが少なくなるので、画像の鮮鋭度を向上させるための画像処理の負担を軽減できる。
【００４９】
（変形例２）
画像の鮮鋭度を向上させる画像処理としてγ変換処理、輪郭強調処理、フィルタ処理を例示した。この他にも、撮影レンズ１のレンズデータを用いた画像復元処理を施してもよい。
【００５０】
（変形例３）
上述した説明では、Ａ成分波形およびＢ成分波形間のずれ量Δｄの大きさに応じて上記［１］または［２］を行うフォーカス調節モードと、Ａ成分波形およびＢ成分波形間のずれ量Δｄを検出すればＡＦ(オートフォーカス)処理時にフォーカスレンズ２を移動させる通常のフォーカス調節モードとがメニュー操作によって切換えられるようにした。この代わりに、連写撮影時の１枚目は後者のフォーカス調節モードに切換え、２枚目以降は前者のフォーカス調節モードへ自動的に切換えるようにしてもよい。連写時の１枚目にフォーカスレンズ２を移動させてフォーカス調節するとずれ量Δｄが小さくなる。連写時の２枚目以降はずれ量Δｄが大きくなる可能性が低いので、レンズ駆動を行わない前者のフォーカス調節モードを使用することにより、連続撮影の間隔を短くすることができる。
【００５１】
（変形例４）
また、電子カメラがフォーカス調節動作の完了よりもレリーズ操作に応じた撮影動作を優先するレリーズ優先モードに設定されている場合に、Ａ成分波形およびＢ成分波形間のずれ量Δｄの大きさに応じて上記［１］または［２］を行うフォーカス調節モードへ自動的に切換えるようにしてもよい。上述のように、レリーズ優先モードではフォーカス調節動作の完了よりもレリーズ操作に応じた撮影動作が優先されるため、撮影動作の時点ではフォーカス調節がなされていない画像データが取得される可能性があるが、上記のフォーカス調節モードを用いることで、レリーズタイムラグが短く、かつ、鮮鋭度の高い画像を得ることができる。
【００５２】
以上の説明はあくまで一例であり、上記の実施形態の構成に何ら限定されるものではない。
【図面の簡単な説明】
【００５３】
【図１】本発明の一実施の形態による電子カメラの要部構成を説明するブロック図である。
【図２】イメージセンサに形成されるフォーカス検出用の画素位置を説明する図である。
【図３】横センサを構成する画素列の拡大図である。
【図４】縦センサを構成する画素列の拡大図である。
【図５】横センサを構成する画素列、および画素列に入射される光束を説明する図である。
【図６】合焦時に得られる画素出力波形を例示する図である。
【図７】非合焦時に得られる画素出力波形を例示する図である。
【図８】(a)は後ピン状態を例示する図、(b)は後ピン状態において得られる画素出力波形を例示する図、(c)は合焦状態を例示する図である。
【図９】(a)は他の後ピン状態を例示する図、(b)は画素出力波形を例示する図である。
【図１０】レリーズ待機処理の流れを説明するフローチャートである。
【図１１】レリーズ処理の流れを説明するフローチャートである。
【図１２】ＡＦ処理の流れを説明するフローチャートである。
【図１３】撮影処理の流れを説明するフローチャートである。
【符号の説明】
【００５４】
１…撮影レンズ
２…フォーカスレンズ
３…測距装置兼撮像装置
４…制御装置
４ａ…画像処理部
４ｂ…バッファメモリ
５…レンズ駆動機構
６…表示回路
７…液晶モニタ
８…操作部材
【図１】
2009042556.tif 000003
【図２】
2009042556.tif 000004
【図３】
2009042556.tif 000005
【図４】
2009042556.tif 000006
【図５】
2009042556.tif 000007
【図６】
2009042556.tif 000008
【図７】
2009042556.tif 000009
【図８】
2009042556.tif 000010
【図９】
2009042556.tif 000011
【図１０】
2009042556.tif 000012
【図１１】
2009042556.tif 000013
【図１２】
2009042556.tif 000014
【図１３】
2009042556.tif 000015